(57)【要約】【課題】上面カバーの通常位置及び案内部材の支持位置において、刃部の揺動及び案内部材の揺動の協動によって、紙体は刃部の内方に隠れずに案内部材の上面に露呈することになり、この紙体の案内部材上の露呈部分を摘み代とすることができ、摘み代を持って引き出すことができる。【解決手段】ホルダー本体１にロール紙Ｗから前方に引き出された紙体Ｐの底面を摺動自在に支持する支持部材５を設け、上面カバー４に支持部材に支持されている紙体の上面に弾圧接触して紙体を支持部材とで挟装すると共に弾圧接触により上面カバーを通常位置Ｔに保持可能な弾圧用バネ６を設け、ホルダー本体に弾圧用バネと支持部材とにより挟装されて前方に引き出された紙体の底面を摺動自在に支持すると共に後部を支点として下向き揺動自在な案内部材７を設け、上面カバーに刃部８を設けてなる。【選択図】図１
2011194125.tif 000002
【特許請求の範囲】
【請求項１】
ホルダー本体に紙体をロール状に巻回したロール紙を回転自在及び交換自在に軸支する支持軸及び該ロール紙の上方に配置され、後部を支点として揺動自在に設けられた上面カバーを備えてなり、上記ホルダー本体に上記ロール紙から前方に引き出された紙体の底面を摺動自在に支持する支持部材を設け、上記上面カバーに該支持部材に支持されている紙体の上面に弾圧接触して紙体を該支持部材とで挟装すると共に該弾圧接触により該上面カバーを通常位置に保持可能な弾圧用バネを設け、該ホルダー本体に該弾圧用バネと該支持部材とにより挟装されて前方に引き出された紙体の底面を摺動自在に支持すると共に後部を支点として下向き揺動自在な案内部材を設け、該上面カバーに該上面カバーを後部を支点として押下位置へと下向き揺動させることにより該案内部材を押圧して該案内部材上の紙体を介して案内部材を後部を支点として支持位置から切断位置に下向き揺動させると共に該案内部材上の紙体を引き裂き切断可能な刃部を設け、該案内部材の下向き揺動を該案内部材上を介して引き出された紙体を該刃部とで挟装した状態で切断位置に停止可能なストッパー部を設け、該案内部材を該切断位置から該支持位置に上向き復帰揺動させる復帰用バネを設けてなることを特徴とするロール紙ホルダー。
【請求項２】
上記案内部材に上記紙体の長手方向端縁を案内可能な案内凸部を設けてなることを特徴とする請求項１記載のロール紙ホルダー。
【請求項３】
上記案内部材の中央部に凹部を形成してなることを特徴とする請求項１又は２記載のロール紙ホルダー。
【請求項４】
上記案内凸部は紙体の厚さ寸法より高い高さ寸法になっており、上記刃部は上記案内凸部を押圧する構造になっていることを特徴とする請求項２又は３記載のロール紙ホルダー。
【請求項５】
上記復帰用バネはねじりコイルバネであることを特徴とする請求項１〜４のいずれか１項に記載のロール紙ホルダー。
【発明の詳細な説明】
【技術分野】
【０００１】
本発明は例えば、トイレットペーパー、キッチンペーパー等のロール紙を保持するロール紙ホルダーに関するものである。
【背景技術】
【０００２】
従来この種のロール紙ホルダーとして、一般的に、ホルダー本体に紙体をロール状に巻回したロール紙を回転自在及び交換自在に軸支する支持軸及び該ロール紙体の上方に配置され、後部を支点として揺動自在に設けられた上面カバーを備えてなる構造のものが知られており、又、上面カバーの端部で紙体を引き裂き切断したとき、紙体は上面カバーの背後に隠れてしまう為、引き裂き後に上面カバーの端部から紙体の摘み代分が顕出し、摘み出しを容易にするようにした構造も知られている。
【先行技術文献】
【特許文献】
【０００３】
【特許文献１】特開２００８−３０７３１２号公報
【発明の概要】
【発明が解決しようとする課題】
【０００４】
しかしながら上記従来構造の場合、例えば、歯車機構が用いられ、駆動要素も必要となり、構造が複雑化し易く、製作コストも低減することができないことがあるという不都合を有している。
【課題を解決するための手段】
【０００５】
本発明はこれらの不都合を解決することを目的とするもので、本発明のうちで、請求項１記載の発明は、ホルダー本体に紙体をロール状に巻回したロール紙を回転自在及び交換自在に軸支する支持軸及び該ロール紙の上方に配置され、後部を支点として揺動自在に設けられた上面カバーを備えてなり、上記ホルダー本体に上記ロール紙から前方に引き出された紙体の底面を摺動自在に支持する支持部材を設け、上記上面カバーに該支持部材に支持されている紙体の上面に弾圧接触して紙体を該支持部材とで挟装すると共に該弾圧接触により該上面カバーを通常位置に保持可能な弾圧用バネを設け、該ホルダー本体に該弾圧用バネと該支持部材とにより挟装されて前方に引き出された紙体の底面を摺動自在に支持すると共に後部を支点として下向き揺動自在な案内部材を設け、該上面カバーに該上面カバーを後部を支点として押下位置へと下向き揺動させることにより該案内部材を押圧して該案内部材上の紙体を介して案内部材を後部を支点として支持位置から切断位置に下向き揺動させると共に該案内部材上の紙体を引き裂き切断可能な刃部を設け、該案内部材の下向き揺動を該案内部材上を介して引き出された紙体を該刃部とで挟装した状態で切断位置に停止可能なストッパー部を設け、該案内部材を該切断位置から該支持位置に上向き復帰揺動させる復帰用バネを設けてなることを特徴とするロール紙ホルダーにある。
【０００６】
又、請求項２記載の発明は、上記案内部材に上記紙体の長手方向端縁を案内可能な案内凸部を設けてなることを特徴とするものであり、又、請求項３記載の発明は、上記案内部材の中央部に凹部を形成してなることを特徴とするものであり、又、請求項４記載の発明は、上記案内凸部は紙体の厚さ寸法より高い高さ寸法になっており、上記刃部は上記案内凸部を押圧する構造になっていることを特徴とするものであり、又、請求項５記載の発明は、上記復帰用バネはねじりコイルバネであることを特徴とするものである。
【発明の効果】
【０００７】
本発明は上述の如く、請求項１記載の発明にあっては、ロール紙からの紙体は支持部材と弾圧用バネとの間を介して案内部材の上面に支持され、この通常状態において、紙体を必要長さ分引き出したのち、引き出した紙体を切断するとき、上面カバーを手で押下すると、上面カバー及び刃部は通常位置から押下位置へと後部を支点として下向き揺動し、この上面カバーの下向き揺動により刃部を介して案内部材は後部を支点として支持位置から切断位置へと下向き揺動し、案内部材はストッパー部に当接して切断位置で停止し、この切断位置において、案内部材上を介して引き出された紙体は刃部とストッパー部とで挟装され、この紙体が挟装された状態において、引き出した紙体を刃部の端部外縁辺を用いて引き裂いて切断することになり、切断後、上面カバーから手を釈放すると、上面カバーは弾圧用バネにより上向き揺動して、押下位置から通常位置へと復元位置すると共に案内部材も復帰用バネにより切断位置から支持位置へと上向き復帰揺動することになり、この上面カバーの通常位置及び案内部材の支持位置において、刃部の揺動及び案内部材の揺動の協動によって、紙体は刃部の内方に隠れずに案内部材の上面に露呈することになり、この紙体の案内部材上の露呈部分を摘み代とすることができ、摘み代を持って引き出すことができ、かつ、案内部材が切断位置から支持位置へと復帰上向き回動するとき、紙体は支持部材と弾圧用バネにより挟装されているから、紙体のロール紙側への後退を防ぐことができ、確実に摘み代を確保することができ、摘み代の確保により紙体の引き出しを容易に行うことができる。
【０００８】
又、請求項２記載の発明にあっては、上記案内部材に上記紙体の長手方向端縁を案内可能な案内凸部を設けているから、蛇行を防いで、紙体の引き出しを容易に行うことができ、又、請求項３記載の発明にあっては、上記案内部材の中央部に凹部を形成しているから、案内部材の上面に露呈している紙体の上面及び底面を指で挟んで引き出すことができ、摘み代を持って紙体を容易に引き出すことができ、又、請求項４記載の発明にあっては、上記案内凸部は紙体の厚さ寸法より高い高さ寸法になっており、上記刃部は上記案内凸部を押圧する構造になっているから、刃部が紙体に接触することがなく、それだけ紙体の引き出しを容易に行うことができ、又、請求項５記載の発明にあっては、上記復帰用バネはねじりコイルバネであるから、案内部材の復帰回動構造を簡素化することができる。
【図面の簡単な説明】
【０００９】
【図１】本発明の実施の形態例の全体斜視図である。
【図２】本発明の実施の形態例の全体断面図である。
【図３】本発明の実施の形態例の全体平断面図である。
【図４】本発明の実施の形態例の全体平断面図である。
【図５】本発明の実施の形態例の部分平断面図である。
【図６】本発明の実施の形態例の部分平面図である。
【図７】本発明の実施の形態例の使用状態の部分断面図である。
【図８】本発明の実施の形態例の使用状態の部分断面図である。
【図９】本発明の実施の形態例の使用状態の部分断面図である。
【発明を実施するための形態】
【００１０】
図１乃至図９は本発明の実施の形態例を示し、１はホルダー本体であって、この場合、ホルダー本体１は後板１ａ及び左右一対の側板１ｂ・１ｂからなり、紙体Ｐをロール状に巻回したロール紙Ｗを回転自在及び交換自在に軸支する支持軸２及びロール紙Ｗの上方に配置されて後部の支点軸３を支点として揺動自在に設けられた上面カバー４を備えている。
【００１１】
この場合、上記支持軸２の両端部に一対の軸部２ａ・２ａが設けられ、軸部２ａ・２ａはホルダー本体１の側板１ｂ・１ｂに着脱自在に軸支され、支持軸２はロール紙Ｗの中心穴部に遊嵌挿され、ロール紙Ｗを回転自在及び交換自在に軸支するように構成している。尚、ロール紙Ｗの着脱交換構造は適宜変更して設計される。
【００１２】
５は支持部材であって、上記ホルダー本体１の側板１ｂ・１ｂ間に架設され、上記ロール紙Ｗから前方に引き出された紙体Ｐの底面を支持面５ａにより摺動自在に支持するように形成されている。
【００１３】
６は弾圧用バネであって、図２の如く、上記上面カバー４の後部にビス６ａにより取り付けられ、弾圧用バネ６の前端部の押圧面６ｂが支持部材５に支持されている紙体Ｐの上面に弾圧接触し、紙体Ｐを支持部材５とで挟装すると共にこの弾圧接触により上面カバー４を常態たる図２の実線で示す通常位置Ｔに保持するように構成している。
【００１４】
７は案内部材であって、図２、図４の如く、上記ホルダー本体１の側板１ｂ・１ｂ間に後部左右両側に突設した一対の支軸７ａ・７ａにより下向き揺動自在に軸支され、弾圧用バネ６の押圧面６ｂと支持部材５の支持面５ａとにより挟装されて前方に引き出された紙体Ｐの底面を案内面７ｂで摺動自在に支持するように構成されている。
【００１５】
８は刃部であって、この場合、金属製にして、上面カバー４の前端部に設けられ、上面カバー４を後部の支点軸３を支点として通常位置Ｔから押下位置Ｍへと下向き揺動させることにより案内部材７を押圧して案内部材７上の紙体Ｐを介して案内部材７を後部の支軸７ａ・７ａを支点として支持位置Ｆから切断位置Ｓに下向き揺動させると共に案内部材７上の紙体Ｐを引き裂き切断可能に設けられている。
【００１６】
９はストッパー部であって、この場合、上記ホルダー本体１の側板１ｂ・１ｂ間に架設された支持部材５に形成され、上記上面カバー４の下向き揺動により案内部材７を支持位置Ｆから切断位置Ｓに下向き揺動させ、案内部材７上を介して引き出された紙体Ｐを刃部８とで挟装した状態で切断位置Ｓに停止可能に構成している。
【００１７】
１０は復帰用バネであって、この場合、ねじりコイルバネが用いられ、上記一方の支軸７ａに嵌挿され、一方端部は支持部材５に当接し、他方端部は案内部材７に当接し、これにより案内部材７を切断位置Ｓから支持位置Ｆに上向き復帰揺動させるように構成している。
【００１８】
この場合、上記案内部材７に上記紙体Ｐの長手方向端縁を案内可能であって紙体Ｐの厚さ寸法より高さ寸法が高い左右一対の案内凸部７ｃ・７ｃが設けられ、かつ、この場合、上記案内部材７の中央部に凹部７ｄが形成され、支持部材５の凹部７ｄに対向する角部に斜め凹部５ｂを形成し、さらに、この場合、上記刃部８は上記案内部材７上の紙体Ｐを介して上記案内凸部７ｃ・７ｃを押圧する構造としている。
【００１９】
この実施の形態例は上記構成であるから、図２の如く、ロール紙Ｗからの紙Ｐは支持部材５と弾圧用バネとの間を介して案内部材７の上面に支持され、この図７の通常状態Ｔにおいて、紙Ｐを必要長さ分引き出したのち、引き出した紙体Ｐを切断するとき、図８の如く、上面カバー４を手で押下すると、上面カバー４及び刃部８は通常位置Ｔから押下位置Ｍへと後部を支点として下向き揺動し、この上面カバー４の下向き揺動により刃部８を介して案内部材７は後部を支点として支持位置Ｆから切断位置Ｓへと下向き揺動し、案内部材７はストッパー部９に当接して切断位置Ｓで停止し、この切断位置Ｓにおいて、案内部材７上を介して引き出された紙体Ｐは刃部８とストッパー部９とで挟装され、この紙体Ｐが挟装された状態において、引き出した紙体Ｐを刃部８の端部外縁辺を用いて引き裂いて切断することになり、切断後、上面カバー４から手を釈放すると、図８から図９の如く、上面カバー４は弾圧用バネ６により上向き揺動して、押下位置Ｍから通常位置Ｔへと復元位置すると共に案内部材７も復帰用バネ１０により切断位置Ｓから支持位置Ｆへと上向き復帰揺動することになる。
【００２０】
そして、この図８で示す上面カバー４の通常位置Ｔ及び案内部材７の支持位置Ｆにおいて、刃部８の揺動及び案内部材７の揺動の協動によって、紙体Ｐは刃部８の内方に隠れずに案内部材７の上面に露呈することになり、この紙体Ｐの案内部材７上の露呈部分を摘み代Ｄとすることができ、摘み代Ｄを持って引き出すことができ、かつ、案内部材７が切断位置Ｓから支持位置Ｆへと復帰上向き回動するとき、紙体Ｐは支持部材５と弾圧用バネ６により挟装されているから、紙体Ｐのロール紙Ｗ側への後退を防ぐことができ、確実に摘み代Ｄを確保することができ、摘み代Ｄの確保により紙体Ｐの引き出しを容易に行うことができる。
【００２１】
この場合、上記案内部材７に上記紙体Ｐの長手方向端縁を案内可能な案内凸部７ｃ・７ｃを設けているから、蛇行を防いで、紙体Ｐの引き出しを容易に行うことができ、又、この場合、上記案内部材７の中央部に凹部７ｄを形成しているから、案内部材７の上面に露呈している紙体Ｐの上面及び底面を指で挟んで引き出すことができ、摘み代Ｄを持って紙体Ｐを容易に引き出すことができ、又、この場合、上記刃部８は上記案内凸部７ｃ・７ｃは紙体Ｐの厚さ寸法より高い高さ寸法になっており、上記刃部８は上記案内凸部７ｃ・７ｃを押圧する構造になっているから、刃部８が紙体Ｐに接触することがなく、それだけ紙体Ｐの引き出しを容易に行うことができ、又、この場合、上記復帰用バネ１０はねじりコイルバネであるから、案内部材７の復帰回動構造を簡素化することができる。
【００２２】
尚、本発明は上記実施の形態例に限られるものではなく、例えば、ホルダー本体１の形態、支持軸２の着脱構造、上面カバー４、支持部材５、弾圧用バネ６、案内部材７の構造や形態などは適宜選択して設計される。
【００２３】
以上、所期の目的を充分達成することができる。
【符号の説明】
【００２４】
Ｐ    紙体
Ｗ    ロール紙
Ｔ    通常位置
Ｍ    押下位置
Ｆ    支持位置
Ｓ    切断位置
１    ホルダー本体
２    支持軸
４    上面カバー
５    支持部材
６    弾圧用バネ
７    案内部材
７ｃ    案内凸部
７ｄ    凹部
８    刃部
９    ストッパー部
１０    復帰用バネ
【図１】
2011194125.tif 000003
【図２】
2011194125.tif 000004
【図３】
2011194125.tif 000005
【図４】
2011194125.tif 000006
【図５】
2011194125.tif 000007
【図６】
2011194125.tif 000008
【図７】
2011194125.tif 000009
【図８】
2011194125.tif 000010
【図９】
2011194125.tif 000011